(57)【特許請求の範囲】
【請求項１】
複数の耕耘爪（１，１…）を配列して取り付けた耕耘爪軸（２）の一端側を、伝動装置（３）を内装した伝動ケース（４）の下部に軸支され側方に突出する駆動軸（１０）に取り付け、該耕耘爪軸（２）の他端側を支持機枠（８）で回転自在に支持するサイドドライブ型のロータリ耕耘装置において、該伝動ケース（４）と前記耕耘爪軸端側の耕耘爪（１，１…）との間、及び支持機枠（８）と前記耕耘爪軸端側の耕耘爪（１，１…）との間に、回転円板（５，５）を夫々上記耕耘爪軸（２）と一体的に回転すべく介装し、上記回転円板（５，５）の回転軌跡の外径と、耕耘爪（１，１…）の回転軌跡の外径を略同径とし、回転円板（５，５）の径方向途中部に、回転円板（５，５）の外周部を伝動ケース（４）方向又は支持機枠（８）方向に接近させるための中間円筒部（５ａ）を設け、上記中間円筒部（５ａ）が駆動軸（１０）の突出外周を覆うよう構成したロータリ耕耘装置。
【発明の詳細な説明】
【０００１】
【発明の属する技術分野】
本発明は、ロータリ耕耘装置に関し、特にロ−タリ耕耘軸の草巻付き防止装置に関するもので、農業機械の技術分野に属する。
【０００２】
【従来の技術】
従来からロ−タリ耕耘機は、耕耘作業に伴って、圃場に残っている長稈の草類やイグサ等が耕耘爪の取付部や耕耘爪軸に巻き付くのを未然に防止する手段が考案され、実用化への試みがある。公知技術の一例を述べると、耕耘爪軸に配列して取り付けられている左右両端部の耕耘爪の間に、巻付き防止部材として線状部材を耕耘爪軸と平行に張り渡して構成したものがある。そして、上記巻付き防止部材は、耕耘作業に際して耕耘爪軸から外方に隔たった位置で、その耕耘爪軸の外周を平行を保って回転しながら巻き付こうとする草を排除して、巻き付きを防止する構成になっている。
【０００３】
【発明が解決しようとする課題】
上述した巻付き防止手段は、耕耘爪軸への草の巻付きはほとんど発生しないが、耕耘爪軸の軸端から軸受部材側（伝動ケ−ス等）への巻付きが発生し、極端な場合には軸受部材のシール部から油漏れが起きるなどの課題がある。
【０００４】
【課題を解決するための手段】
本発明は、上述した課題を解決するために、次の如き技術手段を講ずるものである。すなわち、複数の耕耘爪（１，１…）を配列して取り付けた耕耘爪軸（２）の一端側を、伝動装置（３）を内装した伝動ケース（４）の下部に軸支され側方に突出する駆動軸（１０）に取り付け、該耕耘爪軸（２）の他端側を支持機枠（８）で回転自在に支持するサイドドライブ型のロータリ耕耘装置において、該伝動ケース（４）と前記耕耘爪軸端側の耕耘爪（１，１…）との間、及び支持機枠（８）と前記耕耘爪軸端側の耕耘爪（１，１…）との間に、回転円板（５，５）を夫々上記耕耘爪軸（２）と一体的に回転すべく介装し、上記回転円板（５，５）の回転軌跡の外径と、耕耘爪（１，１…）の回転軌跡の外径を略同径とし、回転円板（５，５）の径方向途中部に、回転円板（５，５）の外周部を伝動ケース（４）方向又は支持機枠（８）方向に接近させるための中間円筒部（５ａ）を設け、上記中間円筒部（５ａ）が駆動軸（１０）の突出外周を覆うよう構成したロータリ耕耘装置としたものである。
【０００５】
【発明の実施の形態】
以下、本発明の実施の形態を図面に基づいて具体的に説明する。まず、上部伝動機枠６は、図１に示すように、左右方向中央部に中央伝動ケース２１を配設し、移動農機のＰＴＯ軸と接続する入力軸２２に原動側の駆動力を伝動し、この駆動力を上部伝動機枠６に内装した伝動軸７に傘歯車２３，２４を介して伝えている。上部伝動機枠６の一方側に伝動ケ−ス４を連結し、他方側に支持機枠８を連結してそれぞれ垂下状態にして構成し、垂下下端部間に耕耘爪軸２を配設している。そして、伝動ケ−ス４には、図１に示すように、上部を前述した伝動軸７の上部スプロケット９に係合し、下部を駆動軸１０に軸着した下部スプロケット１１に掛け渡して内装した伝動チエン１２との３者で構成した伝動装置３を内装した構成としている。
【０００６】
そして、耕耘爪軸２は、図１に示すように、一方の端部を、回転円板５の小径立壁２５と取付板１３とを重ね合わせて従動軸１０の取付フランジ１４に、ボルト１５によって着脱自由に締め付けて固着し、他方の端部も、同じように回転円板５の小径立壁２５と取付板１３とを重ね合わせてボルト１５によって支持軸１６の取付フランジ１７に着脱自由に締め付けて固着している。図２において、２６は取付孔であってボルト１５を通し、２７は開口であって耕耘爪軸２が通過する。実施例の回転円板５の構成では、回転円板５の後付けが面倒なので、図示しないが回転円板５を１８０度に２等分しておくと着脱が容易である。
【０００７】
そして、耕耘爪軸２は、軸上に配列して設けた複数の爪ホルダ１９に、夫々耕耘爪１，１．．を取り付けて耕耘装置２０を構成している。そして、回転円板５は、図例では図１に示すように、耕耘爪１の掘削時の回転半径と略同等の半径に形成された円盤であり、一端最外側の耕耘爪１側と伝動ケ−ス４側間および他端最外側の耕耘爪１側と支持部材８側との間で、これらを隔離する構成として、回転円板５を壁側である伝動ケ−ス４や支持部材８の内面側に接近させて取り付けている。また、後述の作用で詳述するが回転円板５の外径は、耕耘爪１の掘削時回転半径に対し、半径で略５ｃｍ程度少し小径から大径までは同様の目的と効果を奏する。
【０００８】
図例の回転円板５は、前述したように取付板１３に共締めする小径立壁２５と、それよりも略平行状にずれた大径立壁２８と、両者を接続する中間円筒部５ａから成っており、大径立壁２８の外周端縁部は薄肉状の平板であるから、９０度に切り落すプレス型での打ち抜き切断端面としているが、図４，図５で示すように「Ｖ」字状に先端を尖らせた刃２９としていてもよい。
【０００９】
なお、図１に示す耕耘装置２０は、サイドドライブ型を実施例にして説明したが、センタ−ドライブ型の耕耘装置でも、伝動ケ−スと耕耘爪との間に回転円板５を設けることによって、同一の作用・効果を発揮することができる。以上のように構成された耕耘装置２０は、機体側から伝動軸７に回転動力を伝動すると、耕耘爪軸２が、上部スプロケット９、伝動チエン１２、下部スプロケット１１、駆動軸１０、取付フランジ１４、取付板１３、回転円板５の順に伝動され、耕耘爪１を駆動して耕耘作業を開始する。
【００１０】
すると、耕耘爪１，１．．は、回転に伴って圃場の土壌を反転しながら進み、耕耘作業を行なうが、そのとき、生えている草や収穫後の圃場に残っている比較的長い稈などが、引っ掛かって持ち回りながら回転する。そのとき、耕耘爪１，１．．によりロータリ耕耘部の幅外に散乱した草や長い稈やイグサ等は、耕耘爪軸２側に引き寄せられるから、引き寄せ途中で草や長い稈やイグサ等は、伝動ケ−ス４側駆動軸１０の取付フランジ１４廻り、および支持機枠８側支持軸１６の取付フランジ１７廻りに侵入しようとする。しかし回転円板５，５により、圃場の掘削土表面から内方にロータリ耕耘部の幅外に散乱した草や長い稈やイグサ等は、実体部を表土に押圧されるから、その移動を規制されたり、押圧切断されるから、一部が耕耘爪軸２に無理矢理引かれて巻き付くことになったり、一部は短くなって幅外の地表に残ったり、一部は振り飛ばされるように離れたりする。
【００１１】
このように、草や長い稈やイグサ等を回転円板５の外周端縁で押圧しているので、草や稈やイグサ等は耕耘爪１，１．．に引っ張られて耕耘爪軸２中間部に巻き付くことはあっても、伝動ケ−ス４側および支持機枠８側の耕耘爪軸２取付端部に侵入することはない。以上のように、本発明は、耕耘爪軸２取付端部に草や稈やイグサ等の侵入がほとんどないから、従来のように、巻き付いた草のために伝動ケ−ス４や支持機枠８の軸受部分のシール３０から油漏れまで発展する故障がない特徴を有する。
【００１２】
以下、別の構成例について説明する。まず、図４で示す回転円板５は、小径立壁２５の外周近傍にロッドやワイヤーの取付孔３１を４個所開口して設け、左右の回転円板５，５の取付孔３１，３１間に図５で示すように、ロッド３２，３２．．を最大４本取付可能としている。図例では、草巻き付き防止としてロッド３２を取り付けているが、ワイヤーを取り付けても良い。ロッド３２やワイヤーの両端部にはネジ部が設けられ、ここにナット３３，３３を小径立壁２５の内方と外方の２面から締め付けている。この構成により、該ロッド３２や図示しないワイヤー等で、耕耘爪軸２に巻き付こうとする草，藁，イグサ等を該ロッド３２やワイヤーで振り飛ばしたり、巻きついても空間部を大きくして取外し易くしている。また、小径立壁２５の外周近傍にロッド３２を取り付ける場合、回転円板５の左右方向の倒れに対する補強効果も有するし、外方のナット３３の周りを中間円筒部５ａで覆っているので草，藁，イグサ等が外方のナット３３に巻き付くことも防止できる。
【００１３】
また、図４で示す回転円板５の中間円筒部５ａは、耕耘爪軸２の取付板１３と駆動軸１０の取付フランジ１４外方を覆いながら、サイドカバー３４側との間を大径立壁２８で小間隙としているので、耕耘爪軸２の取付板１３と駆動軸１０の取付フランジ１４外方廻りへの、草，藁，イグサ等の進入を規制し回転部廻りの耐久性向上を図っている。３５は主カバーであって、耕耘軸２全体の上方を覆っており、左右両端部を左右のサイドカバー３４に取り付けている。
【００１４】
図１で示す耕耘爪１ａは、耕耘爪軸２上に取り付ける耕耘爪１，１．．の内、左方の回転円板５に隣り合う爪を別構成としたものである。回転円板５に隣り合う爪の大径側を、爪基部１ｄに対し、伝動ケース４または支持機枠８側に刃部１ｂを偏位させた、残耕処理爪としている。図示しないが、右方の回転円板５に隣り合う爪も同様の耕耘爪１ａとしても良い。
【００１５】
この残耕処理爪形状を、回転円板５の断面形状に略沿って掘削幅を広げる方向に刃部１ｂを偏位させ、最大径部を内方に折り曲げた端縁刃１ｃとしたことにより、次のような作用効果を生じる。この残耕処理用の耕耘爪１ａを回転円板５の大径立壁２８近傍に偏位させたので、耕耘幅を広くしながら、草，藁，イグサ等を、残耕処理爪と回転円板５間にのみ巻きつけることなく、中央側の耕耘爪１，１．．方向に引き込み案内でき、一部にのみ草，藁，イグサ等を巻きつけないから、除去掃除する回数を減じることができる。また、伝動ケース４や支持機枠８下部に近い部分の表土まで掘削でき、往復耕耘時の隣との未耕地が少なくなって、幅広掘削分、既耕地から離れた未耕地上を走れるから、農用トラクター等での運転が容易となる。
【００１６】
【発明の効果】
本発明は、以上のように、回転円板（５）は、伝動ケース（４）と前記耕耘爪軸端側の耕耘爪（１，１…）との間、及び支持機枠（８）と前記耕耘爪軸端側の耕耘爪（１，１…）との間に壁側である伝動ケース（４）や支持部材（８）の内面側に接近させて取り付けたものであるから、耕耘爪軸の軸端部分や軸受部材側（伝動ケースや支持部材）への草の巻き付きを未然に防止することができる効果を有するものである。
【図面の簡単な説明】
【図１】 本発明の実施例であって、一部破断した全体背面図である。
【図２】 本発明の実施例であって、要部部材の側面図である。
【図３】 本発明の実施例であって、図２の破断した背面図である。
【図４】 本発明の別実施例であって、要部部材の側面図である。
【図５】 本発明の別実施例であって、図４の部材を組み込んだ背断面図である。
【符号の説明】
１ 耕耘爪
２ 耕耘爪軸
３ 伝動装置
４ 伝動ケ−ス
５ 回転円板
８ 支持機枠
１０ 駆動軸
【図１】
0003924997.tif 000002
【図２】
0003924997.tif 000003
【図３】
0003924997.tif 000004
【図４】
0003924997.tif 000005
【図５】
0003924997.tif 000006